(57)【特許請求の範囲】
【請求項１】
必要に応じて、画像情報取得手段が被検体を撮影して得られる画像情報の出力条件の設定または設定変更の処理と、上記画像情報に当該設定後または設定変更後の出力条件に基づく加工を施す処理と、上記画像情報の転送先の設定または設定変更の処理とのうち、何れか一つまたは何れか複数の処理を行い、上記画像情報を当該設定後または設定変更後の転送先の画像出力手段へ転送する画像情報転送装置の監視・管理システムであって、
上記画像情報転送装置に、必要に応じて、上記出力条件の設定または設定変更の処理状態と、上記設定後または設定変更後の上記出力条件に基づく上記画像情報の加工状態と、上記画像情報の転送先の設定または設定変更の処理状態と、上記設定後または設定変更後の出力先への上記画像情報の転送状態のうち、何れか一つまたは何れか複数の状態を検索するＷｅｂサーバと、当該Ｗｅｂサーバが検索した情報を閲覧するブラウザとを備え、
上記ブラウザを通して上記画像情報転送装置の上記各設定または各設定変更、及び上記画像情報の転送状態を監視・管理し、必要に応じて上記ブラウザから上記各設定または上記各設定変更のさらなる設定変更を操作し、かつ上記画像情報の上記転送先への転送に際し転送エラーが発生した場合に、上記ブラウザから当該転送処理のリセットを実施することを特徴とする画像情報転送装置の監視・管理システム。
【請求項２】
必要に応じて、画像情報取得手段が被検体を撮影して得られる画像情報の出力条件の設定または設定変更の処理と、上記画像情報に当該設定後または設定変更後の出力条件に基づく加工を施す処理と、上記画像情報の転送先の設定または設定変更の処理とのうち、何れか一つまたは何れか複数の処理を行い、上記画像情報を当該設定後または設定変更後の転送先の画像出力手段へ転送する複数の画像情報転送装置の監視・管理システムであって、
上記画像情報転送装置に、必要に応じて、上記出力条件の設定または設定変更の処理状態と、上記設定後または設定変更後の上記出力条件に基づく上記画像情報の加工状態と、上記画像情報の転送先の設定または設定変更の処理状態と、上記設定後または設定変更後の出力先への上記画像情報の転送状態のうち、何れか一つまたは何れか複数の状態を検索するＷｅｂサーバと、当該Ｗｅｂサーバが検索した情報を閲覧するブラウザとを備え、
上記一箇所のブラウザを通して上記複数の画像情報転送装置の上記各設定または各設定変更、及び上記画像情報の転送状態を監視・管理し、必要に応じて上記一箇所のブラウザから上記各設定または上記各設定変更のさらなる設定変更を操作し、かつ上記複数の画像情報転送装置のうち何れか一つまたは何れか複数の画像情報転送装置に、上記画像情報の上記転送先への転送に際し転送エラーが発生した場合に、上記一箇所のブラウザから当該画像情報転送装置の転送処理のリセットを実施することを特徴とする複数の画像情報転送装置の監視・管理システム。
【請求項３】
上記画像情報取得手段が、ＣＴスキャナ、磁気共鳴画像形成装置、または、Ｘ線画像形成装置であることを特徴とする請求項１または２記載の画像情報転送装置の監視・管理システム。
【請求項４】
上記画像出力手段が、病院の診療室や読影室のプリンタ装置、または画像ビューワ、あるいはファイリング室の画像サーバであることを特徴とする請求項１乃至３のうち何れかに記載の画像情報転送装置の監視・管理システム。
【請求項５】
上記画像情報転送装置が、医用画像を転送する医用画像情報転送装置であることを特徴とする請求項１乃至４のうち何れかに記載の画像情報転送装置の監視・管理システム。
【請求項６】
上記ブラウザを通して行う上記出力条件の設定または設定変更には、コピー枚数の設定、ルックアップテーブルの選択、濃度の設定、コントラストの設定、保管情報の選択、画像境界の選択、テストプリントの指示、転送先の設定、緊急リセットの指示が含まれることを特徴とする請求項１乃至５のうち何れかに記載の画像情報転送装置の監視、管理システム。
【発明の詳細な説明】
【０００１】
【発明の属する技術分野】
本発明は、画像情報取得手段が被検体を撮影して得られる画像情報を所定の画像出力手段へ転送する画像情報転送装置の監視・管理システムに関し、詳しくは一箇所のブラウザを通して、Ｗｅｂサーバを備える複数の画像情報転送装置の状態を監視・管理し、必要に応じて一箇所のブラウザ側から各画像情報転送装置の出力条件の設定を変更し画像情報の加工を変更したり、当該画像情報の転送エラーを解消したりする画像情報転送装置の監視・管理システムに関する。
【０００２】
【従来の技術】
従来、一つの画像情報転送装置の状態を監視・管理する場合、監視・管理用の高価なプログラムを備えた専用のコントローラを用いて、画像情報転送装置が画像情報取得手段から取得される画像情報の出力条件の設定または設定変更を行い、かつ当該画像情報の転送先の設定または設定変更を行い、さらに当該専用のコントローラを用いて、画像情報転送装置が当該出力条件に基づく当該画像情報の加工処理を監視し、かつ当該画像情報転送装置による画像情報の上記設定後または設定変更後の転送先の画像出力手段への転送状態を監視・管理している。そして画像情報転送装置による画像情報の転送に際し転送エラーが発生した場合、コントローラから画像情報の転送をリセットする処理を行っている。
【０００３】
また、一般に総合病院等の場合、画像情報取得手段としてＣＴスキャナ（ＣＴ）や、複数のＸ線画像形成装置（ＣＲ）や、磁気共鳴画像形成装置（ＭＲＩ）等が設置されており、各々が被検体を撮影して得られる画像情報は、各々に設置された医用画像情報転送装置を介して転送先となる診療室や読影室のプリンタ装置、画像ビューワ、及びファイリング室の画像サーバに転送され、患者の診療に利用されている。この医用画像情報転送装置も、専用のコントローラを介し出力条件の設定として、例えば、コピー枚数の設定、ルックアップテーブルの選択、濃度の設定、コントラストの設定、保管情報の選択、及び、画像境界の選択等の設定を行い、かつ転送先の設定を行い、転送エラーが生じた場合、専用のコントローラから転送のリセットを行っている。
【０００４】
従来においては、高価なプログラムを備えたコントローラを用いて、画像情報転送装置の監視・管理を行っているため、画像情報転送装置の監視・管理システムとして高価になるばかりでなく、画像情報転送装置として、複数の医用画像情報転送装置を管理・監視する場合、各医用画像情報転送装置に専用のコントローラを接続して、各医用画像情報転送装置毎に監視・管理を実施しているので、一つの医用画像情報転送装置に出力条件の設定変更の必要や転送エラーが発生した場合、監視員は、現場まで出向いて、その医用画像情報転送装置に備えられる専用のコントローラに適切な操作を行わなければならないという非常に面倒な作業が要求される。また、全ての医用画像情報転送装置の監視・管理を一時に実施しようとした場合、各医用画像情報転送装置毎に監視員を必要とすることになり、多くの監視員を必要とし人件費が嵩む課題がある。
【０００５】
本発明は、高価な費用を掛けることなく一つの画像情報転送装置の監視・管理を行うことができ、また、一箇所の監視員が他の複数の画像情報転送装置のある場所へと逐次出向く必要もなく、監視員の人数と負担を軽減して、複数の画像情報転送装置の出力条件の設定や設定変更、画像情報の転送先の設定や設定変更、及び画像情報の転送状態の監視・管理を行うことができる画像情報転送装置の監視・管理システムを提供することを目的とする。
【０００６】
【課題を解決するための手段】
請求項１記載の発明は、必要に応じて、画像情報取得手段が被検体を撮影して得られる画像情報の出力条件の設定または設定変更の処理と、上記画像情報に当該設定後または設定変更後の出力条件に基づく加工を施す処理と、上記画像情報の転送先の設定または設定変更の処理とのうち、何れか一つまたは何れか複数の処理を行い、上記画像情報を当該設定後または設定変更後の転送先の画像出力手段へ転送する画像情報転送装置の監視・管理システムであって、上記画像情報転送装置に、必要に応じて、上記出力条件の設定または設定変更の処理状態と、上記設定後または設定変更後の上記出力条件に基づく上記画像情報の加工状態と、上記画像情報の転送先の設定または設定変更の処理状態と、上記設定後または設定変更後の出力先への上記画像情報の転送状態のうち、何れか一つまたは何れか複数の状態を検索するＷｅｂサーバと、当該Ｗｅｂサーバが検索した情報を閲覧するブラウザとを備え、上記ブラウザを通して上記画像情報転送装置の上記各設定または各設定変更、及び上記画像情報の転送状態を監視・管理し、必要に応じて上記ブラウザから上記各設定または上記各設定変更のさらなる設定変更を操作し、かつ上記画像情報の上記転送先への転送に際し転送エラーが発生した場合に、上記ブラウザから当該転送処理のリセットを実施することを特徴とする。
【０００７】
請求項２記載の発明は、必要に応じて、画像情報取得手段が被検体を撮影して得られる画像情報の出力条件の設定または設定変更の処理と、上記画像情報に当該設定後または設定変更後の出力条件に基づく加工を施す処理と、上記画像情報の転送先の設定または設定変更の処理とのうち、何れか一つまたは何れか複数の処理を行い、上記画像情報を当該設定後または設定変更後の転送先の画像出力手段へ転送する複数の画像情報転送装置の監視・管理システムであって、上記画像情報転送装置に、必要に応じて、上記出力条件の設定または設定変更の処理状態と、上記設定後または設定変更後の上記出力条件に基づく上記画像情報の加工状態と、上記画像情報の転送先の設定または設定変更の処理状態と、上記設定後または設定変更後の出力先への上記画像情報の転送状態のうち、何れか一つまたは何れか複数の状態を検索するＷｅｂサーバと、当該Ｗｅｂサーバが検索した情報を閲覧するブラウザとを備え、上記一箇所のブラウザを通して上記複数の画像情報転送装置の上記各設定または各設定変更、及び上記画像情報の転送状態を監視・管理し、必要に応じて上記一箇所のブラウザから上記各設定または上記各設定変更のさらなる設定変更を操作し、かつ上記複数の画像情報転送装置のうち何れか一つまたは何れか複数の画像情報転送装置に、上記画像情報の上記転送先への転送に際し転送エラーが発生した場合に、上記一箇所のブラウザから当該画像情報転送装置の転送処理のリセットを実施することを特徴とする。
【０００８】
請求項３記載の発明は、上記画像情報取得手段が、ＣＴスキャナ、磁気共鳴画像形成装置、または、Ｘ線画像形成装置であることを特徴とする。
【０００９】
請求項４記載の発明は、上記画像出力手段が、病院の診療室や読影室のプリンタ装置、または画像ビューワ、あるいはファイリング室の画像サーバであることを特徴とする。
【００１０】
請求項５記載の発明は、上記画像情報転送装置が、医用画像を転送する医用画像情報転送装置であることを特徴とする。
【００１１】
請求項６記載の発明は、上記ブラウザを通して行う上記出力条件の設定または設定変更には、コピー枚数の設定、ルックアップテーブルの選択、濃度の設定、コントラストの設定、保管情報の選択、画像境界の選択、テストプリントの指示が含まれることを特徴とする。
【００１２】
【発明の実施の形態】
以下、本発明の実施の形態を図面に基づいて説明する。図１は本発明の第１の実施の形態に係る画像情報転送装置の監視・管理システムの概略構成を説明する説明図である。本実施の形態においては、画像情報転送装置として、総合病院等に設置される医用画像情報転送装置を例にその監視・管理システムについて説明する。
【００１３】
医用画像情報転送装置１には、画像情報取得手段として、例えばＣＴスキャナ、磁気共鳴画像形成装置、またはＸ線画像形成装置等の画像形成装置３が接続されている。医用画像情報転送装置１は、後述するブラウザを通して画像形成装置３が被検体を撮影して得られる医用画像情報に関し、出力条件の設定として、例えば、コピー枚数の設定、ルックアップテーブルの選択、濃度の設定、コントラストの設定、保管情報の選択、画像境界の選択、テストプリントの指示を行うことができ、かつ医用画像情報の転送先の設定や設定変更を行うことができ、しかも医用画像情報の転送先への転送時に転送エラーが発生した場合には転送の緊急リセットを指示することができる。
【００１４】
上述で、コピー枚数の設定は、生成される医用画像をコピーする際のコピー枚数の設定である。ルックアップテーブルは、医用画像の情報から特定種の医用画像を生成する際に利用されるテーブルであり、ルックアップテーブルの選択は、通常、医用画像の情報から特定種の医用画像を生成する７種類のルックアップテーブルのうち、一種のルックアップテーブルを選択する設定である。
【００１５】
また濃度の設定は、生成される医用画像の濃度の設定であり、コントラストの設定も、生成される医用画像のコントラストの設定である。保管情報の選択は、特定のルックアップテーブルを利用して生成される医用画像を記録して保管するか否かの選択であり、画像境界の選択は、生成される医用画像間の境界を例えば白にするか黒にするかの選択である。テストプリントの指示は、選択されたルックアップテーブルを用いて生成した医用画像情報のコピーをするか否かの選択であり、転送先の設定は、生成された医用画像情報の転送先を、例えば各診療室または各読影室、あるいは手術室のうち、医用画像生成の依頼医師に係る診療室または読影室あるいは手術室のプリンタ装置９や、図示しない画像ビューワ等の転送先を指定する設定である。緊急リセットの指示は、生成された医用画像情報が設定された転送先へ転送されず、医用画像情報転送装置１の動作が停止している際に行う緊急リセットの指示である。
【００１６】
医用画像情報転送装置１は、上述の出力条件の設定や設定変更に応じて、特定の医用画像情報を生成し、設定された転送先としてプリンタ装置（イメージャ）９や図示しない画像ビューワ等へ転送するよう構成されているが、勿論、後述するブラウザを通して出力条件の設定変更を行って、医用画像情報の加工変更を行ったり、転送先の変更を行って、加工後の医用画像情報を特定の転送先として、例えば図示しない画像サーバ等へ転送させ、当該画像サーバのデータベースに保存させることも可能である。
【００１７】
医用画像情報転送装置１は、画像形成装置３から入力される医用画像情報を例えばディジタル情報に変換して種々の処理を行うものであり、上述の出力条件の設定に関する情報もディジタル情報として取り扱い、所定の情報記憶部に書き込まれる。医用画像情報転送装置１は、所定の情報記憶部に書き込まれた上述の出力条件の設定に関する情報に基づき処理動作を決定し、かつ処理動作を実行する。処理が施された医用画像情報は、例えばプリンタ装置（イメージャ）９に転送されて所定サイズのフィルムに印刷されたり、図示しない画像ビューワのモニタに画像表示される。
【００１８】
医用画像情報転送装置１には、ハイパーテキスト形式の情報検索システムであるＷｅｂサーバ７が備えられており、例えば同装置１の端末５には、Ｗｅｂサーバ７が検索するハイパーテキスト形式の情報を閲覧するブラウザが備えられている。本実施の形態では、上述の情報記憶部に書き込まれた医用画像情報、及び出力条件の設定に関する情報、または出力条件の設定変更に関する情報が、ハイパーテキスト形式の情報に変換されてＷｅｂサーバ７に情報検索されるものであり、当該医用画像情報、及び出力条件の設定に関する検索情報、または設定変更に関する検索情報が、ブラウザ側から閲覧できるよう構成されている。
【００１９】
Ｗｅｂサーバ７には、例えば動的なサービスを提供するためのＣＧＩ等が備えられている。ＣＧＩとは、Ｗｅｂサーバ７がブラウザ側から出力条件の設定や設定変更に関する要求を受けた場合、Ｗｅｂサーバ７が、Ｗｅｂサーバ７側に備わる医用画像情報転送装置１の出力条件の設定や設定変更に関する情報の書き込みを実行するプログラムを起動し、医用画像情報転送装置１側において要求に応じた情報の書き込みを行い、また同時に、Ｗｅｂサーバ７に、書き込んだ情報を検索させ、ブラウザ側に検索結果を転送させるための動的な処理機能の仕組みである。
【００２０】
ブラウザには、Ｗｅｂサーバ７側から転送された出力条件の設定等に関する情報をＷｅｂページ内に整列して表示する部分と、Ｗｅｂサーバ７側に送信する出力条件の設定や設定変更に関する情報を書き込む部分と、書き込んだ出力条件の設定等に関する情報をＷｅｂサーバ７側に送信するためのボタンとが存在しており、ボタンをクリックすると、ブラウザ側で書き込んだ出力条件の設定等に関する情報をＷｅｂサーバ７側に送信することができる。この出力条件の設定等に関する情報の転送を受けたＷｅｂサーバ７側では、上述の所定のプログラムが起動されて、ブラウザ側で書き込まれた出力条件の設定等の情報に基づき医用画像情報転送装置１側の保持する出力条件に係る情報や、転送先に係る情報が書き換えられる。
【００２１】
尚、ＣＧＩにおいて動作するプログラムは、ＰｅｒｌやＶｉｓｕａｌＢａｓｉｃ、Ｊａｖａ、Ｃ、ＶＢＳｃｒｉｐｔ、ＪａｖａＳｃｒｉｐｔ等のスクリプト言語や開発言語により作成することができ、様々な条件や環境を判定した上で、ＣＧＩ自らがＨＴＭＬの生成も行えることから、上述の動的なサービスの実現に重要な役割を果す。Ｗｅｂブラウザ７は、ＶＢＳｃｒｉｐｔ、ＪａｖａＳｃｒｉｐｔ等に対応しており、Ｗｅｂサーバ７側から転送されたスクリプト情報を解析し、文字情報の動的な処理として、例えば医用画像情報の動的な変化や出力条件の設定の動的な変化を表示することも可能である。
【００２２】
またブラウザは、Ｗｅｂサーバ７側から転送された設定済みの出力条件の情報、及び設定済みの転送先の情報を表示することで、医用画像情報転送装置１の出力条件の設定や設定変更の状態を監視・管理することが可能である他、医用画像情報転送装置１の動作状態として、選択した医用画像情報の保存の有無や医用画像情報の転送先への転送状態の良し悪しを監視・管理することが可能である。ブラウザを通して医用画像情報の転送状態を監視した結果、例えば転送に不具合が発生して転送エラーが発生した場合も、Ｗｅｂサーバ７側からその旨を知らせる情報がブラウザ側へと転送されるため、ブラウザ側から医用画像情報の転送に関する緊急リセットの情報を入力したり、緊急リセットのボタンをクリックしたりすることで、医用画像情報転送装置１の医用画像情報の転送に係る動作をリセットすることが可能である。
【００２３】
次に、図２に示すフローチャートを参照して、Ｗｅｂサーバ７側に備わる医用画像情報転送装置１の出力条件の設定や設定変更に関する情報の書き込みを実行する上記プログラムの処理動作について説明する。先ずステップ２０１において、Ｗｅｂサーバ７側から起動命令の入力が成されるのを待ち、起動命令の入力が成された場合、ステップ２０２において、ブラウザ側から転送された各書き込み情報（出力条件の情報、転送先の情報）の所定のテーブルへの記憶処理が行われ、更にステップ２０３において、全ての書き込み情報の記憶が完了したか否かが判定される。全ての書き込み情報の記憶が完了していない場合にはステップ２０２の処理が繰り返されるが、全ての書き込み情報の記憶が完了した場合には、ステップ２０４において、各書き込み情報（出力条件の情報、転送先の情報）の種別が認識される。各書き込み情報の種別とは、即ち、例えば、コピー枚数の設定、ルックアップテーブルの選択、濃度の設定、コントラストの設定、画像境界の選択、転送先の設定等の種別のことである。
【００２４】
各書き込み情報の種別が認識された場合、ステップ２０５において、各書き込み情報の種別に対応して、医用画像情報転送装置１側の情報入力部における各書き込み情報の書き込み先が認識される。続いてステップ２０６において、ハイパーテキスト形式の各書き込み情報を医用画像情報転送装置１が認識し得る形式の情報に変換し、ステップ２０７において、医用画像情報転送装置１用の形式に変換された各書き込み情報を、医用画像情報転送装置１の情報記憶部における各書き込み先へ書き込む処理が実行される。そして、ステップ２０８において、全ての書き込み情報の書き込みが終了されたか否かが判定され、終了されてない場合はステップ２０７の処理が繰り返されるが、全ての書き込み情報の書き込みが終了されたと判定された場合には、ステップ２０９へ進んでＷｅｂサーバ７に医用画像情報転送装置１における所定の情報記憶部への書き込みが実行された各情報の検索要求と検索結果の情報のブラウザ側への転送要求とを行い、ステップ２０１へ戻る。
【００２５】
図３は本発明の第２の実施の形態に係る画像情報転送装置の監視・管理システムの概略構成を説明する説明図である。本実施の形態においては、画像情報転送装置として、総合病院等に設置される複数の医用画像情報転送装置を一箇所のブラウザ側から監視・管理する画像情報転送装置の監視・管理システムについて説明する。
【００２６】
本実施の形態の総合病院等には、画像情報取得手段として、例えば、ＣＴスキャナ（ＣＴ）１１、磁気共鳴画像形成装置（ＭＲＩ）１３、及びＸ線画像形成装置（ＣＲ）１５が設置されている。また、ＣＴ１１には医用画像情報転送装置１７が接続され、ＭＲＩ１３には医用画像情報転送装置１９が接続され、ＣＲ１５には医用画像情報転送装置２１が接続されている。
【００２７】
各医用画像情報転送装置１７，１９，２１には、接続関係のあるＣＴ１１，ＭＲＩ１３，またはＣＲ１５が被検体を撮影して得られる医用画像情報に関し、第１の実施の形態の場合と同様に、後述するブラウザを通して出力条件の設定として、例えば、コピー枚数の設定、ルックアップテーブルの選択、濃度の設定、コントラストの設定、保管情報の選択、画像境界の選択、テストプリントの指示を行うことができ、また転送先の設定や設定変更、及び緊急リセットの指示を行うことがでえきる。
【００２８】
各医用画像情報転送装置１７，１９，２１は、上述の出力条件の設定に応じて、特定の医用画像情報を生成し、指定された転送先として、例えばプリンタ装置３１、またはプリンタ装置３３等へ転送するよう構成されており、出力条件の設定変更を行い、医用画像情報の加工変更を行ったり、転送先の変更を行ったり、また保管していた加工後の医用画像情報を取出して新たな出力条件に基づく加工を施し直し、しかる上で特定の転送先へ転送させたりすることが可能である。転送先としては、第１の実施の形態の場合と同様に、詳しくは図示しないが、画像出力手段として、例えば医用画像情報転送の依頼医師の診療室、または読影室、あるいは手術室のプリンタ装置３１，３３や、図示しない画像ビューワ、あるいはファイリング室の画像サーバ等が指定される。
【００２９】
各医用画像情報転送装置１７，１９，２１は、接続関係のあるＣＴ１１、ＭＲＩ１３、ＣＲ１５から入力される医用画像情報を例えばディジタル情報として扱って種々の処理を行い、上述の出力条件の設定や設定変更に関する情報は各医用画像情報転送装置１７，１９，２１が認識し得る形式の情報に変換されて、各医用画像情報転送装置１７，１９，２１側の所定の情報記憶部に書き込まれるものである。
【００３０】
各医用画像情報転送装置１７，１９，２１には、ハイパーテキスト形式の情報検索システムであるＷｅｂサーバ２３，２５，２７が備えられてネットワークが構成されており、ネットワークに接続される同装置１の端末５には、各Ｗｅｂサーバ２３，２５，２７が検索するハイパーテキスト形式の情報を閲覧するブラウザが備えられている。本実施の形態では、各医用画像情報転送装置１７，１９，２１が扱う上述の情報記憶部に書き込まれた医用画像情報、及び出力条件の設定や設定変更に関する情報が、ハイパーテキスト形式の情報に変換されて接続関係のあるＷｅｂサーバ２３，２５，２７に情報検索されるものであり、ハイパーテキスト形式の情報に変換された当該医用画像情報、及び出力条件の設定や設定変更に関する検索情報が、ネットワークを通して一箇所の端末５側のブラウザ側から閲覧できるよう構成されている。
【００３１】
各Ｗｅｂサーバ２３，２５，２７にも、第１の実施の形態の場合と同様に、例えば動的なサービスを提供するためのＣＧＩ等が備えられており、一箇所のブラウザ側から出力条件の設定や設定変更に関する要求を受けた場合、Ｗｅｂサーバ２３，２５，２７側に備わる医用画像情報転送装置１７，１９，２１に出力条件の設定や設定変更に関する情報の書き込みを実行する図２に示すプログラムと同様のプログラムを起動し、接続関係のある医用画像情報転送装置１７，１９，２１側において要求に応じた情報の書き込みを行い、また同時に、接続関係のあるＷｅｂサーバ２３，２５，２７に、書き込みの情報、または書き込み変更に関する情報の検索を行わせ、検索結果の情報をブラウザ側に転送させる。
【００３２】
尚、ブラウザには、各Ｗｅｂサーバ２３，２５，２７のアドレスを指定するＵＲＬと，各Ｗｅｂサーバ２３，２５，２７から転送された出力条件の設定等に関する情報をＷｅｂページ内に所定の状態に整列して表示する部分と、各Ｗｅｂサーバ２３，２５，２７側に送信する出力条件の設定や設定変更に関する情報を書き込む部分と、書き込んだ出力条件の設定等に関する情報を接続関係のあるＷｅｂサーバ２３，２５，２７側に送信するためのボタンとが存在しており、ボタンをクリックすると、ブラウザ側で書き込んだ出力条件の設定等に関する情報を、ＵＲＬで指定したアドレスに基づいて接続関係をもつＷｅｂサーバ２３，２５，２７側に送信することができる。この場合、情報転送を受けたＷｅｂサーバ２３，２５，２７側から接続関係のある医用画像情報転送装置１７，１９，２１側に対し、ブラウザ側からの出力条件の設定や設定変更に従う情報の入力が成されて、当該医用画像情報転送装置１７，１９，２１側で当該情報入力に従う出力条件の設定や設定変更等が実行される。そして各医用画像情報転送装置１７，１９，２１では、接続関係のあるＷｅｂサーバ２３，２５，２７側からの情報入力に従い、医用画像情報の種々の加工や加工変更と転送先の設定とを行って医用画像情報の転送先への転送を実行する。
【００３３】
一方、ブラウザには、図４に示すように、各Ｗｅｂサーバ２３，２５，２７側から転送された出力条件の設定等に関する情報を、Ｗｅｂページ内においてＷｉｎｄｏｗ形式で各Ｗｅｂサーバ２３，２５，２７に対応した複数の枠毎の領域３１，３３，３５に表示することが可能である。各領域３１，３３，３５毎に情報を表示する場合、ＵＲＬにおいてｈｔｔｐ：／／から始まる各Ｗｅｂサーバ２３，２５，２７のアドレス情報を入力することで、各ｗｅｂサーバ２３，２５，２７を起動させ、各医用情報転送装置１７，１９，２１の出力条件の設定等に関する情報や医用画像情報の転送状態に関する情報を検索させることで、各Ｗｅｂサーバ２３，２５，２７毎の画面表示が可能になる。ＵＲＬとは、ネットワーク上の各医用画像情報転送装置１７，１９，２１の位置とアクセス方法を定めたものであり、ＵＲＬ内のｈｔｔｐの部分が対応するＷｅｂサーバ２３，２５，２７との情報のやり取りをする際の手順を表現するものである。ｈｔｔｐとは、ブラウザ側と各Ｗｅｂサーバ２３，２５，２７側との間においてハイパーテキストの情報を転送するためのプロトコルであり、ｈｔｔｐの機能によりＷｅｂ情報として各医用画像情報転送装置１７，１９，２１の出力条件の設定等に係る情報の要求や応答が可能になる。
【００３４】
また、ブラウザは、上述の技術を利用して各Ｗｅｂサーバ２３，２５，２７側から転送された情報を表示することで、ネットワークを構成する各医用画像情報転送装置１７，１９，２１の各出力条件の設定や設定変更の状態を監視・管理することが可能である。また、各医用画像情報転送装置１７，１９，２１の動作状態として、例えば選択された医用画像情報の保存の有無や、特定のルックアップテーブルを利用して生成された医用画像情報の転送先への転送状態の良し悪しを監視・管理することが可能である。ブラウザを通して各医用画像情報転送装置１７，１９，２１の医用画像情報の転送状態を監視した結果、例えば転送に不具合が発生した場合も、各Ｗｅｂサーバ２３，２５，２７側からその旨を知らせる情報がブラウザ側へと転送されるため、ブラウザ側から医用画像情報の転送不具合が発生した医用画像情報転送装置１７，１９，２１側に対し、医用画像情報の転送に関する緊急リセットの情報を入力したり、緊急リセットのボタンをクリックしたりすることで、医用画像転送の不具合が発生した医用画像情報転送装置１７，１９，２１の医用画像転送に係る動作をリセットすることが可能である。
【００３５】
【発明の効果】
以上説明したように、請求項１に係る発明によれば、画像情報転送装置に、画像情報や、出力条件の設定や、転送先の設定に係る情報を検索するＷｅｂサーバと、当該Ｗｅｂサーバが検索した情報を閲覧するブラウザとを備えたので、監視・管理用の高価なプログラムを構成しなくとも、一つの画像情報転送装置の監視・管理を安価な構成で行うことができる。
【００３６】
また、請求項２に係る発明によれば、複数の画像情報転送装置に、画像情報や、出力条件の設定または設定変更や、転送先の設定または設定変更、及び画像情報の転送状態の良し悪しの情報を検索するＷｅｂサーバを備えてネットワークを構成し、ネットワークに接続される一箇所のブラウザを通して複数の画像情報転送装置の監視・管理を行うよう構成したので、高価な費用を掛けることなく、また一箇所の監視員が他の画像情報転送装置のある場所へと出向く必要もなく、複数の画像情報転送装置の出力条件の設定や設定変更、画像情報の転送先の設定や設定変更、及び画像情報の転送状態の良し悪しの監視・管理を行うことができ、従って監視員の負担を軽くするとともに監視員の人数を減らし、人件費を低減させることができる。
【図面の簡単な説明】
【図１】本発明の第１の実施の形態に係る画像情報転送装置の監視・管理システムの概略構成を説明する説明図である。
【図２】本発明の第２の実施の形態に係る画像情報転送装置の監視・管理システムの概略構成を説明する説明図である。
【図３】第２の実施の形態のブラウザが情報表示する場合の具体例を説明する説明図である。
【図４】  第２の実施の形態において各Ｗｅｂサーバから転送された出力条件の設定に関する画像を、Ｗｅｂページ内におけるＷｉｎｄｏｗ形式で各Ｗｅｂサーバに対応した複数の枠毎の領域に表示した場合を例示した図である。
【符号の説明】
１  医用画像情報転送装置
３  画像形成装置（画像情報取得手段）
５  端末
７  Ｗｅｂサーバ
９，３１，３３  プリンタ装置（イメージャ）
１１  ＣＴスキャナ
１３  磁気共鳴画像形成装置
１５  Ｘ線画像形成装置
１７，１９，２１  医用画像情報転送装置
２３，２５，２７  Ｗｅｂサーバ
【図１】
0004706034.tif 000002
【図２】
0004706034.tif 000003
【図３】
0004706034.tif 000004
【図４】
0004706034.tif 000005